【事件の表示】
　特許第３２４２７６２号「空気調和機」の請求項１ないし１０に係る特許に対する特許異議の申立てについて、次のとおり決定する。
【結　論】
　訂正を認める。
　特許第３２４２７６２号の請求項１に係る特許を維持する。
【理　由】
〔１〕本件特許及び本件特許異議事件の手続の経緯
　本件特許及び本件特許異議事件（特許第３２４２７６２号（以下「本件特許」という。）異議申立て）に係る手続の経緯の概要は、以下のとおりである。
１）本件特許の出願日：平成５年８月３０日
２）特許権の設定の登録：平成１３年１０月１９日
３）特許掲載公報の発行：平成１３年１２月２５日
４）特許異議の申立て（全請求項に対して）（異議申立人・株式会社富士通ゼネラル）：平成１４年６月２４日付け
５）審尋：平成１４年７月３０日付け（発送日：同年８月１３日）
６）回答書（特許権者）：平成１４年１０月１５日差出
７）口頭審理陳述要領書（特許権者）：平成１４年１０月３０日
８）口頭審理陳述要領書（異議申立人）：平成１４年１０月３０日
９）口頭による審尋：平成１４年１０月３０日
10）口頭審理：平成１４年１０月３０日
11）取消理由通知書：平成１４年１１月５日付け（発送日：同年１１月８日）
12）上申書（異議申立人）：平成１４年１１月６日付け
13）訂正請求書：平成１４年１１月８日差出
　
〔２〕訂正の適否についての判断
１．本件訂正請求は、以下の事項について訂正するものである。
(ア)特許請求の範囲の請求項１〜８及び請求項１０を削除し、請求項９を請求項１に繰り上げるとともに、下記のとおりとする。
「請求項１
　壁面に取付けられて使用される室内機の筐体の上下に空気吸込口及び吹出口を有し、
前記筐体は前部を構成する化粧パネルと後部を構成するバックケースとから構成され、
前記化粧パネルの裏側に配設された
、この熱交換器の下方に配置される露受皿と
でかつ前記空気吸込口と前記吹出口との間
ると共に、前記受信部及び前記運転表示部を前記熱交換器に対して断熱材でシールしかつ前記露受皿に固定した
(イ)明細書の段落０００９の記載を、「本発明の目的は
、リモコンからの受信部の受信性能及び運転表示部の視認性を向上させ、しかも熱交換器の温度の影響で表示部に露付が発生するのを防止できる
(ウ)明細書の段落００１０の記載を削除する。
(エ)明細書の段落００１１の記載を、下記のとおりとする。
「
【課題を解決するための手段】
上記目的を達成するために、
空気調和機に係る特
前記筐体は前部を構成する化粧パネルと後部を構成するバックケースとから構成され、
前記化粧パネルの裏側に配設された
、この熱交換器の下方に配置される露受皿と
でかつ前記空気吸込口と前記吹出口との間
ると共に、前記受信部及び前記運転表示部を断熱材でシールしかつ前記露受皿に固定した
(オ)明細書の段落００１２中、「また、・・・固定することができる。」を削除する。
(カ)明細書の段落００１３の記載を、下記のとおりとする。
「
運
間に
かつ露受皿に固定し
る。
かつ露受皿に固定し
(キ)明細書の段落００３１の記載を、下記のとおりとする。
「【発明の効果】
　以上詳細に説明したように、本発明によれば
、リ
受信部
、しかも熱交換器の温度の影響で表示部に露付が発生するのを防止できる
(ク)明細書の図面の簡単な説明の末尾に、「１３・・・露受皿、１４・・・断熱材」という記載を追加する。
　　
２．そこで、これら訂正事項について検討する。
　訂正事項(ア)は、特許請求の範囲の請求項１０項中９項を削除するものであるから、特許請求の範囲の減縮を目的とするものであり、訂正事項(イ)ないし(ク)は、「発明の詳細な説明」及び「図面の簡単な説明」の記載を、訂正後の特許請求の範囲の記載との整合を図るとともに、不明りょうであった記載を明りょうにしたものであると認められるから、これらの訂正事項は、明りょうでない記載の釈明を目的とするものである。
  そして、上記各訂正事項は、いずれも願書に添付した明細書及び図面に記載された事項の範囲内において訂正したものであって、実質上特許請求の範囲を拡張し又は変更するものでもない。
  したがって、本件訂正請求を認める。
　
〔３〕特許異議申立てについての判断
１．本件請求項１に係る発明は、訂正された明細書及び図面の記載からみて、その特許請求の範囲の請求項１に記載されたとおりの「空気調和機」にある（上掲〔２〕１．(ア)）。
　
２．これに対して、特許異議申立人の異議申立ての理由は、訂正前の請求項１ないし１０に係る発明は、本件特許の出願前に頒布された甲第１号証ないし甲第６号証に記載された発明に基づいて当業者が容易に発明をすることができたものであるから、特許法第２９条第２項の規定に違反してされたものであり（理由１）、また、請求項８に係る発明は、特許を受けようとする発明が明確でないので特許法第３６条第５項第２号（平成５年改正前特許法）の規定に違反してされたものである（理由２）、というにあるものと認める。
　なお、特許法第２９条第１項に関してはその理由が示されておらず、法第３６条第６項としたのは条文の誤認と認める。
（証拠方法）
甲第１号証：登録意匠第８３０８０１号公報
甲第２号証：株式会社富士通ゼネラル・９１年製・ルームエアコン・形式：ＡＳ２８１ＰＪの写真
甲第２号証の２：株式会社富士通ゼネラル・９１年製・ルームエアコン・形式：ＡＳ２８１ＰＪの取扱説明書
甲第２号証の３：株式会社富士通ゼネラル・９１年製・ルームエアコン・形式：ＡＳ２８１ＰＪのカタログ
甲第３号証：実願平２−９５１８３号（実開平４−５７０７３号）のマイクロフィルム
甲第４号証：実願昭５８−１４６１５３号（実開昭５９−８８６２４号）のマイクロフィルム
甲第５号証：登録意匠第８６３２９２号公報
甲第６号証：実願昭５５−１７１１６６号（実開昭５７−９３７４０号）のマイクロフィルム
　そこで、異議申立人の主張する理由について検討する。
　異議申立人が提示した甲号各証には、本件特許の訂正後の請求項１に係る発明の、「壁面に取付けられて使用される室内機の筐体の上下に空気吸込口及び吹出口を有し、前記筐体は前部を構成する化粧パネルと後部を構成するバックケースとから構成され、前記筐体内に、前記化粧パネルの裏側に配設された送風フアンと、この送風フアンの吸込側に配置される熱交換器と、この熱交換器の下方に配置される露受皿とを備えた空気調和機において、リモコンからの受信部及び運転表示部を隣接して前記筐体の幅方向中央部でかつ前記空気吸込口と前記吹出口との間に位置して設けると共に、前記受信部及び前記運転表示部を前記熱交換器に対して断熱材でシールしかつ前記露受皿に固定した空気調和機」について、とくに、リモコンからの受信部及び運転表示部を隣接して筐体の幅方向中央部でかつ空気吸込口と吹出口との間に位置して設けるとともに、受信部及び前記運転表示部を前記熱交換器に対して断熱材でシールしかつ露受皿に固定した点について、記載も示唆もない。
（なお、甲第２号証に係る写真は、本件特許の出願前に頒布された刊行物である点が明らかではないが、リモコンからの受信部及び運転表示部が隣接して筐体の幅方向中央部にあるものではない。）
　そして、本件特許の訂正後の請求項１に係る発明は、請求項１に記載された構成が相俟って、リモコンからの受信部の受信性能および運転表示部の視認性が向上し、かつ熱交換器の温度の影響で表示部に露付が発生するのを防止できるという明細書記載の効果を奏するものと認められる。
　したがって、その余について検討するまでもなく、本件請求項１に係る発明が、異議申立人の提示した甲号各証に記載された発明に基づいて当業者が容易に発明をすることができたものであるとすることはできない。
　また、訂正前の請求項８は削除されたので、特許法第３６条第５項第２号（平成５年改正前特許法）の規定に違反するとすることもできない。
　
３．異議申立人は、平成１４年１０月３０日付け口頭審理陳述要領書とともに、甲第７号証：実開平４−９７２２０号公報、甲第８号証：実開平３−２７５３９号公報、甲第９号証：実開平３−６０３８６号公報、甲第１０号証：実開平２−１３１１２６号公報、甲第１１号証：実開昭５６−７０７１８号公報にも、本件特許の訂正後の請求項１に係る発明の、リモコンからの受信部及び運転表示部を隣接して筐体の幅方向中央部でかつ空気吸込口と吹出口との間に位置して設けるとともに、受信部及び前記運転表示部を前記熱交換器に対して断熱材でシールしかつ露受皿に固定した点について、記載も示唆もない。甲号各証を単に組み合わせても本件発明の構成に到達することにはならない。
　なお、異議申立人は、平成１４年１１月６日付け上申書において、特許性の有無について十分審理されていないと非難するが、本件異議申立てについて、提出された書面及び口頭審理における陳述を踏まえ、法の趣旨にのっとり適切に審理がされてきたものであり、異議申立人の非難は当たらない。
　
〔４〕まとめ
　以上によれば、特許異議申立人の主張する申立ての理由及び提出した証拠方法によっては、本件特許を取り消すことはできない。また、ほかに本件特許を取り消すべき理由を発見しない。
　よって、結論のとおり決定する。
【異議決定日】
平成１４年１１月１３日（２００２．１１．１３）
【訂正の要旨】
（ア）特許請求の範囲の請求項１〜８および請求項１０を削除し、請求項９を請求項１に繰り上げて、下記のとおりとする。
「請求項１
　壁面に取付けられて使用される室内機の筐体の上下に空気吸込口及び吹出口を有し、
前記筐体は前部を構成する化粧パネルと後部を構成するバックケースとから構成され、
前記化粧パネルの裏側に配設された
、この熱交換器の下方に配置される露受皿と
でかつ前記空気吸込口と前記吹出口との間
ると共に、前記受信部及び前記運転表示部を前記熱交換器に対して断熱材でシールしかつ前記露受皿に固定した
（イ）明細書の段落０００９を、「本発明の目的は
、リモコンからの受信部の受信性能及び運転表示部の視認性を向上させ、しかも熱交換器の温度の影響で表示部に露付が発生するのを防止できる
（ウ）明細書の段落００１０を削除する。
（エ）明細書の段落００１１を、下記のとおりとする。
「
【課題を解決するための手段】
　
上記目的を達成するために、
空気調和機に係る特
前記筐体は前部を構成する化粧パネルと後部を構成するバックケースとから構成され、
前記化粧パネルの裏側に配設された
、この熱交換器の下方に配置される露受皿と
でかつ前記空気吸込口と前記吹出口との間
ると共に、前記受信部及び前記運転表示部を断熱材でシールしかつ前記露受皿に固定した
（オ）明細書の段落００１２中、「また、・・・固定することができる。」を削除する。
（カ）明細書の段落００１３を、下記のとおりとする。
「
運
間に
かつ露受皿に固定し
る。
かつ露受皿に固定し
（キ）明細書の段落００３１を、下記のとおりとする。
「【発明の効果】
　以上詳細に説明したように、本発明によれば
、リ
受信部
、しかも熱交換器の温度の影響で表示部に露付が発生するのを防止できる
（ク）明細書の図面の簡単な説明中の末尾に、「１３・・・露受皿、１４・・・断熱材」を追加する。
（５４）【発明の名称】
空気調和機
（５７）【特許請求の範囲】
　【請求項１】
　壁面に取付けられて使用される室内機の筐体の上下に空気吸込口及び吹出口を有し、
前記筐体は前部を構成する化粧パネルと後部を構成するバックケースとから構成され、
前記化粧パネルの裏側に配設された
、この熱交換器の下方に配置される露受皿と
でかつ前記空気吸込口と前記吹出口との間
ると共に、前記受信部及び前記運転表示部を前記熱交換器に対して断熱剤でシールしかつ前記露受皿に固定し
【発明の詳細な説明】
　【０００１】
　【産業上の利用分野】
　本発明は、セパレート形の空気調和機に係り、特に、室内の壁面に取り付けて使用される室内機を有する空気調和機に関するものである。
　【０００２】
　【従来の技術】
　現在の空気調和機は、室内の壁面に取り付けて使用される室内機と、屋外に設置される室外機とをパイプを介して接続したセパレ−ト形の空気調和機が主流となっている。図１９は、従来の空気調和機室内機の略示上面図、図２０は、図１９の室内機の一部破断略示側面図、図２１は、従来の室内機の設置外観図である。
　【０００３】
　図１９，２０に示す従来の室内機は、本体筐体（キャビネット）をほぼ薄形の箱形とし、筐体内部の配置は、送風フアン２２の前部上方に熱交換器２１、送風フアン２２の片側にフアンモータ２３、フアンモータ２３の上部に電源部と制御基板からなる電気部品部２４を設けた非対称な配置構成となっていた。そして、この室内機は箱形の本体筐体を壁面に突出して取り付ける構造であるために、室内機本体を小形化する多くの提案がなされていた。
　【０００４】
　さらに、図２１に示す如く、従来例では、ダミー吹出部にリモコン受信部１９や表示部２０を配置したものが提案されているが、その配置部が本体の端部にある。
　【０００５】
　【発明が解決しようとする課題】
　しかし、従来例では、ダミー吹出部にリモコン受信部１９や表示部２０の配置部が本体の端部にあるため、本体の設置場所によっては表示が見にくかったり、リモコンの受信に支障をきたす恐れがあった。
　【０００６】
　【０００７】
　【０００８】
　【０００９】
　本発明の目的は
、
、しかも熱交換器の温度の影響で表示部に露付が発生するのを防止できる
　【００１０】
　【００１１】
　
【課題を解決するための手段】
　
上記目的を達成するために、
空気調和機に係る特
前記筐体は前部を構成する化粧パネルと後部を構成するバックケースとから構成され、
前記化粧パネルの裏側に配設された
、この熱交換器の下方に配置される露受皿と
でかつ前記空間吸込出口との間
ると共に、前記受信部及び前記運転表示部を断熱材でシールしかつ前記露受皿に固定し
　【００１２】
　【作用】
　上記技術的手段による働きは、次のとおりである。リモコンからの受信部を筐体の幅方向中央部でかつ空気吸込口と吹出口との間に位置して設けたので、室内機を部屋の左右の端に設置された場合でも、左右いずれかの壁面から均等の位置に受信部が位置することとなり、受信トラブルが低減でき、室内機設置の制約が低減できると共に、操作者がリモコンで送信操作を行うとき、筐体全体を狙って送信でき、送信操作における気遣いが低減できると共に、筐体下方にカーテンレール等の障害物があっても妨げられることなく受信が容易にできる
。
　【００１３】
　
運
間に
かつ露受皿に固定し
る。
かつ露受皿に固定し
　【００１４】
　【実施例】
　以下本発明の各実施例を図１ないし図１８を参照して説明する。
〔実施例　１〕
　図１は、本発明の第一の実施例に係る空気調和機室内機の側面断面図、図２は、図１の室内機の平面断面図、図３は、同室内機の下方斜視図、図４は、同室内機の正面図、上面図および下面図、図５は、同室内機の側面図、図６は、同室内機の略示内部構造図、図７は、同室内機の受信部、表示部詳細図である。
　【００１５】
　図１において、１は熱交換器、２は、送風ファンに係る貫流ファン、３は上面吸込部、４は正面吸込部、５は可動ルーバー、６は吹出口である。図１に示す室内機は、壁面に取り付けられて使用されるもので、本体筐体すなわちキャビネットの内部に熱交換器１と貫流ファン２を備え、正面吸込部４および上面吸込部３から室内空気を吸い込み、底面に設けた可動ルーバー５を有する吹出口６から冷風または温風を吹き出す構造となっており、室外に設置される室外機とパイプを介して接続することで室内の冷暖房を行うものである。
　【００１６】
　本体キャビネットは、図２に示すように横長の薄形扁平な形状をしており、本体前部を構成する化粧パネル７と本体後部を構成するバックケース８とから構成されている。化粧パネル７は、図３に示す如く、正面吸込部４が形成される吸込パネル７ａおよびフロントパネル７ｂから構成される。この実施例では、吸込パネル７ａを上部ヒンジの開閉式構造とすることでフイルターを交換可能としているが、例えば、吹出部からフイルターを交換する構造とすれば、化粧パネルを一体的に形成してもよい。
　【００１７】
　図３において、９は、リモコンからの受光部に係る受信部、１０は、運転表示を行う表示部である。これら受信部９と表示部１０とは、キャビネット正面中央の正面吸込部４の下方にそれぞれ配置されている。正面吸込部４と上面吸込部３および吹出部６は、図４（ａ）に正面、図４（ｂ）に上面、図４（ｃ）に下面を示すとおり、左右方向が同幅に形成され、正面からみて、左右対称な配置構成となっている。しかも、受信部９と表示部１０とが中央に配置されているために、全体は左右対称な配置構成をとっている。
　【００１８】
　本体形状は、正面吸込部４を備えた化粧パネル７の正面中央部が左右方向および図５に示す上下方向ともに中央を頂点とする凸状のなだらかな湾曲面で構成され、この湾曲面と連続する周側面、つまり、吹出口６を備えた底面６ａ、上面吸込部３を備えた上面３ａ、および両側面が凸状の曲面で形成されている。
　【００１９】
　このような本体形状を形成するための内部構造については、図６に示す２通りがある。図６（ａ）に示す構造は、本体中央部に厚みのある熱交換器１と貫流ファン２を配置し、左右に厚みの少ないフアンモータ１１と電気部品部１２をほぼ対称に分散して配置したものである。この配置構成により、空気の流路を形成しない左右の厚みを小さくした左右均等の配置構成をとることができる。しかも、熱交換器１を貫流フアン２を包むよな側面形状を備えたものにすることにより、本体中央の厚みよりも周囲の厚みを小さくした配置構成をとることができる。このため、本体キャビネットを中央部の厚みよりも周囲の厚みを小さく形成したので、本体を壁面になじんだ形状となし、さらに、内部構造体のデッドスペースを少なくすることができる。
　【００２０】
　図６（ｂ）に示す構造は、貫流フアン２の前部上方に熱交換器１、貫流フアン２の片側にフアンモータ１１、フアンモータ１１の上部に電源部と制御基板からなる電気部品部１２を設けた非対称な配置構成をとったものである。図６（ａ），（ｂ）いずれも、熱交換器１は、長手方向が直線状をなす形状をしたもので、なだらかな湾曲形状をなす化粧パネル７の裏側に配設されるものである。
　【００２１】
　図７は、受信部９と表示部１０の詳細断面図である。受信部９および表示部１０は、露受皿１３に固定するか、または、吸込パネル７ａに固定する。受信部９と表示部１０とは、熱交換器１の温度の影響で露付き等の心配があり、これを断熱材１４でシ−ルし露付きのない構造としている。
　【００２２】
〔実施例　２〕
　図８ないし図１４は第二の実施例を示したものである。図８は、本発明の第二の実施例に係る空気調和機室内機の斜視図、図９は、図８の室内機の正面図、図１０は、同室内機の側面図、図１１は、同室内機の側面断面図、図１２は、同室内機の平面断面図、図１３は、同室内機の上面および下面図、図１４は、同室内機の内部構造図である。各図中、図１ないし図７と同一符号のものは先の第一の実施例と同等部分であるから説明を省略する。
　【００２３】
　図において、１Ａ，１Ｂは熱交換器、３Ａは上面吸込部、４Ａは正面吸込部、５Ａは可動ルーバー、６Ａは吹出口、７Ａは化粧パネル、８Ａはバックケースである。これらの各部品は、先の第一の実施例と形状が異なるが、機能は同じものである。
　【００２４】
　この第二の実施例では、室内機本体をさらに薄く見せるために、図１０に示すように前面部に上下方向の曲面を取ることにより前面の上下の稜線は、奥行き方向に減少している。また、左右方向に関しても、図１３（ａ）の上面、図１３（ｂ）の下面から見るように、左右方向に流れるなだらかな曲面を形成しており、前面の左右の稜線は、奥行き方向に減少している。
　【００２５】
　さらに、この第二の実施例では、室内機の薄型コンパクト感をさらに効果的にするために、図１４に示すように熱交換器の形状を工夫している。図１４（ａ）に示す熱交換器１Ａは、左右方向および上下方向に屈折した形状をしたもので、なだらかな湾曲形状をなす化粧パネル７Ａの曲面に沿わせる形状に構成されている。同様に、図１４（ｂ）に示す熱交換器１Ｂは、左右方向および上下方向に湾曲した形状をしたもので、これも化粧パネル７Ａの曲面に沿わせる形状に構成されている。
　【００２６】
　上記第一，第二の実施例の効果を、併せて図１５ないし図１８を参照して説明する。図１５は、本発明の室内機の設置外観図、図１６は、室内機設置状態での使用者の垂直方向の視線を示す説明図、図１７は、室内機設置状態を説明する略図、図１８は、室内機設置状態での壁面になじむイメージ図である。
　【００２７】
　リモコンからの受信部９を室内機幅方向の中央に配置したことにより、室内機が図１５に示すような部屋の端に設置されたとき、左右いずれかの壁面からも均等の距離に受信部が位置しているため、受信特性が設置場所に関係なく一定となり受信トラブルが低減でき、本体設置の制約が低減できる。また、受信部９は化粧パネルが形成する曲面の中央頂点下部に配置されていることにより、図１６に示すように、カ−テンレ−ル１５等の障害物があっても妨げられることなく受信が容易にできる。さらに、操作者がリモコンで送信操作を行うとき、受信部９が本体中央にあるため本体全体を狙って自然に送信でき、送信操作における使用者の気遣いが低減される。
　【００２８】
　表示部１０については、室内機が図１５に示すような部屋に設置されたとき、左右いずれの壁面からも均等の距離に表示部１０が位置しているため、表示部の視認性が設置場所に関係なく一定で見やすく、本体設置のための制約が低減できる。また、表示部１０が突出部下部に位置することにより、図１６のようにカ−テンレ−ル１５等の障害物があっても視野角が広がり視認性が良好となる。
　【００２９】
　室内機の性能向上の点では、室内機前面が幅方向中央になだらかに湾曲して突出していることにより、熱交換器と正面および上面吸込口との間隔を大きくとることができ吸込抵抗が低減でき、低騒音化を図ることができる。また、正面吸込グリルが直線形状に比べ、幅方向でグリル長が長くとれるので吸込面積が大きくなり、風量アップによる性能改善も期待できる。
　【００３０】
　図１４に示す熱交換器１Ａ，１Ｂを採用した場合には、上記記述の他に、キャビネット前面（化粧パネル）の稜線を室内機奥行方向で最大の減少となり、図１７（ａ），（ｂ）に示すようにキャビネットのカット面１６を大きくとることができるので、薄型コンパクト性が向上し狭い部屋に調和する。また、図１２に示すように、左右方向の稜線を減少させることにより、図１８の如く壁面になじむランド形状となり、さらにコンパクト性を増す効果がある。
　【００３１】
　【発明の効果】
　以上詳細に説明したように、本発明によれば
、リ
受信部の
、しかも熱交換器の温度の影響で表示部に露付が発生するのを防止できる
【図面の簡単な説明】
　【図１】
　本発明の一実施例に係る空気調和機室内機の側面断面図である。
　【図２】
　図１の室内機の平面断面図である。
　【図３】
　図１の室内機の下方斜視図である。
　【図４】
　図１の室内機の正面図、上面図および下面図である。
　【図５】
　図１の室内機の側面図である。
　【図６】
　図１の室内機の略示内部構造図である。
　【図７】
　図１の室内機の受信部、表示部詳細図である。
　【図８】
　本発明の第二の実施例に係る空気調和機室内機の斜視図である。
　【図９】
　図８の室内機の正面図である。
　【図１０】
　図８の室内機の側面図である。
　【図１１】
　図８の室内機の側面断面図である。
　【図１２】
　図８の室内機の平面断面図である。
　【図１３】
　図８の室内機の上面および下面図である。
　【図１４】
　室内機の内部構造図である。
　【図１５】
　本発明の室内機の設置外観図である。
　【図１６】
　室内機設置状態での使用者の垂直方向の視線を示す説明図である。
　【図１７】
　室内機設置状態を説明する略図である。
　【図１８】
　室内機設置状態での壁面になじむイメージ図である。
　【図１９】
　従来の空気調和機室内機の略示上面図である。
　【図２０】
　図１９の室内機の一部破断略示側面図である。
　【図２１】
　従来の室内機の設置外観図である。
　【符号の説明】
　１，１Ａ…熱交換器、２…貫流ファン、３，３Ａ…上面吸込部、４，４Ａ…前面吸込部、５，５Ａ…可動ル−バー、６，６Ａ…吹出口、７，７Ａ…化粧パネル、７ａ…吸込パネル、８，８Ａ…バックケ−ス、９…受信部、１０…表示部、１１…ファンモ−タ、１２…電気部品
、１３…露受皿、１４…断熱材